(57)【特許請求の範囲】
【請求項１】
端末は１つの伝送ブロック（ＴＢ）をＭ個のコードブロックグループ（ＣＢＧ）に分ける必要のあることを決定するステップであって、前記Ｍは正の整数である前記決定するステップと、
前記端末は予め設定されたグループ分け方式に従って前記１つのＴＢに対してコードブロック分割して得られた１つ又は複数コードブロックＣＢをグループ化し、それにより前記１つのＴＢを前記Ｍ個のＣＢＧに分けるステップと、
前記端末は前記Ｍ個のＣＢＧに基づいてデータ伝送を行うステップとを含み、
前記端末は予め設定されたグループ分け方式に従って前記１つのＴＢに対してコードブロック分割して得られた１つ又は複数のＣＢをグループ化し、それにより前記ＴＢを前記Ｍ個のＣＢＧに分ける場合、
前記端末は予め設定されたグループ分け方式に従って前記Ｍ個のＣＢＧにおける各ＣＢＧ内のＣＢの個数を決定し、
前記端末は決定された前記Ｍ個のＣＢＧにおける各ＣＢＧ内のＣＢの個数に従って、前記ＴＢを前記Ｍ個のＣＢＧに分け、
前記端末は予め設定されたグループ分け方式に従って前記Ｍ個のＣＢＧにおける各ＣＢＧ内のＣＢの個数を決定する場合、
前記端末はr = Ｃ ｍｏｄ Ｍを定義し、前記Ｃは１つのＴＢがコードブロック分割された後に得られたＣＢの個数であり、前記rは前記Ｃ割る前記Ｍの余りであり、
前記端末は決定された前記Ｍ個のＣＢＧにおけるＣＢＧkに含まれたＣＢの個数Nkは、
【数１】
0006899450.tif 000099
であり、前記kは、０より大きい又は等しく且つＭ-rより小さい整数であり、
【数２】
0006899450.tif 000100
であり、前記kは、Ｍ-rより大きい又は等しく且つＭより小さい整数であり、
または、
前記端末は予め設定されたグループ分け方式に従って前記Ｍ個のＣＢＧにおける各ＣＢＧ内のＣＢの個数を決定する場合、
r = Ｃ ｍｏｄ Ｍを定義し、前記Ｃは１つのＴＢがコードブロック分割された後に得られたＣＢの個数であり、前記rは前記Ｃ割る前記Ｍの余りであり、
前記端末は決定された前記Ｍ個のＣＢＧにおけるＣＢＧkに含まれたＣＢの個数Nkは、
【数３】
0006899450.tif 000101
であり、前記kは、０より大きい又は等しく且つＭ-rより小さい整数であり、
【数４】
0006899450.tif 000102
であり、前記kは、Ｍ-rより大きい又は等しく且つＭより小さい整数であり、
または、
前記端末は予め設定されたグループ分け方式に従って前記Ｍ個のＣＢＧにおける各ＣＢＧ内のＣＢの個数を決定する場合、
r = Ｃ ｍｏｄ Ｍを定義し、前記Ｃは１つのＴＢがコードブロック分割された後に得られたＣＢの個数であり、前記rは前記Ｃ割る前記Ｍの余りであり、
前記端末は決定された前記Ｍ個のＣＢＧにおけるＣＢＧkに含まれたＣＢの個数Nkは、
【数５】
0006899450.tif 000103
であり、前記kは、０より大きい又は等しく且つrより小さい整数であり、
【数６】
0006899450.tif 000104
であり、前記kは、rより大きい又は等しく且つＭより小さい整数であり、
または、
前記端末は予め設定されたグループ分け方式に従って前記Ｍ個のＣＢＧにおける各ＣＢＧ内のＣＢの個数を決定する場合、
r = Ｃ ｍｏｄ Ｍを定義し、前記Ｃは１つのＴＢがコードブロック分割された後に得られたＣＢの個数であり、前記rは前記Ｃ割る前記Ｍの余りであり、
前記端末によって決定された前記Ｍ個のＣＢＧにおけるＣＢＧkに含まれたＣＢの個数Nkは、
【数７】
0006899450.tif 000105
であり、前記kは、０より大きい又は等しく且つrより小さい整数であり、
【数８】
0006899450.tif 000106
であり、前記kは、rより大きい又は等しく且つＭより小さい整数であることを特徴とするデータ伝送方法。
【請求項２】
前記端末は１つのＴＢをＭ個のＣＢＧに分ける必要があることを決定する場合、
前記端末は事前に定義されたルールに従って１つのＴＢをＭ個のＣＢＧに分ける必要のあることを決定し、又は、
前記端末は設定情報に従って１つのＴＢをＭ個のＣＢＧに分ける必要のあることを決定することを特徴とする請求項１に記載のデータ伝送方法。
【請求項３】
前記端末は上位層シグナリングを介して前記設定情報を受信し、又は
前記端末は下り制御チャンネルを介して前記設定情報を受信し、
前記設定情報は前記端末専用の設定情報と、又は
複数端末が共有する設定情報を含み、前記端末は前記複数端末のうちの１つの端末であることを特徴とする請求項２に記載のデータ伝送方法。
【請求項４】
基地局は１つの伝送ブロック（ＴＢ）をＭ個のコードブロックグループ（ＣＢＧ）に分ける必要のあることを決定するステップと、
前記基地局は予め設定されたグループ分け方式に従って前記１つのＴＢに対してコードブロック分割して得られた１つ又は複数のＣＢをグループ化し、それにより前記１つのＴＢを前記Ｍ個のＣＢＧに分けるステップと、
前記基地局は前記Ｍ個のＣＢＧに従ってデータ伝送を行うステップとを含み、
前記Ｍは正の整数であることを含み、
前記基地局は予め設定されたグループ分け方式に従って前記１つのＴＢに対してコードブロック分割して得られた１つ又は複数のＣＢをグループ化し、それにより前記ＴＢを前記Ｍ個のＣＢＧに分ける場合、
前記基地局は予め設定されたグループ分け方式に従って前記Ｍ個のＣＢＧにおける各ＣＢＧ内のＣＢの個数を決定し、
前記基地局は決定された前記Ｍ個のＣＢＧにおける各ＣＢＧ内のＣＢの個数に従って、前記ＴＢを前記Ｍ個のＣＢＧに分け、
前記基地局は予め設定されたグループ分け方式に従って前記Ｍ個のＣＢＧにおける各ＣＢＧ内のＣＢの個数を決定する場合、
前記基地局はr = Ｃ ｍｏｄ Ｍを定義し、前記Ｃは１つのＴＢがコードブロック分割された後に得られたＣＢの個数であり、前記rは前記Ｃ割る前記Ｍの余りであり、
前記基地局によって決定された前記Ｍ個のＣＢＧにおけるＣＢＧkに含まれたＣＢの個数Nkは、
【数９】
0006899450.tif 000107
であり、前記kは、０より大きい又は等しく且つＭ-rより小さい整数であり、
【数１０】
0006899450.tif 000108
であり、前記kは、Ｍ-rより大きい又は等しく且つＭより小さい整数であり、
または、
前記基地局は予め設定されたグループ分け方式に従って前記Ｍ個のＣＢＧにおける各ＣＢＧ内のＣＢの個数を決定する場合、
r = Ｃ ｍｏｄ Ｍを定義し、前記Ｃは１つのＴＢがコードブロック分割された後に得られたＣＢの個数であり、前記rは前記Ｃ割る前記Ｍの余りであり、
前記基地局によって決定された前記Ｍ個のＣＢＧにおけるＣＢＧkに含まれたＣＢの個数Nkは、
【数１１】
0006899450.tif 000109
であり、前記kは、０より大きい又は等しく且つＭ-rより小さい整数であり、
【数１２】
0006899450.tif 000110
であり、前記kは、Ｍ-rより大きい又は等しく且つＭより小さい整数であり、
または、
前記基地局は予め設定されたグループ分け方式に従って前記Ｍ個のＣＢＧにおける各ＣＢＧ内のＣＢの個数を決定する場合、
r = Ｃ ｍｏｄ Ｍを定義し、前記Ｃは１つのＴＢがコードブロック分割された後に得られたＣＢの個数であり、前記rは前記Ｃ割る前記Ｍの余りであり、
前記基地局によって決定された前記Ｍ個のＣＢＧにおけるＣＢＧkに含まれたＣＢの個数Nkは、
【数１３】
0006899450.tif 000111
であり、前記kは、０より大きい又は等しく且つrより小さい整数であり、
【数１４】
0006899450.tif 000112
であり、前記kは、rより大きい又は等しく且つＭより小さい整数であり、
前記基地局は予め設定されたグループ分け方式に従って前記Ｍ個のＣＢＧにおける各ＣＢＧ内のＣＢの個数を決定する場合、
r = Ｃ ｍｏｄ Ｍを定義し、前記Ｃは１つのＴＢがコードブロック分割された後に得られたＣＢの個数であり、前記rは前記Ｃ割る前記Ｍの余りであり、
前記基地局によって決定された前記Ｍ個のＣＢＧにおけるＣＢＧkに含まれたＣＢの個数Nkは、
【数１５】
0006899450.tif 000113
であり、前記kは、０より大きい又は等しく且つrより小さい整数であり、
【数１６】
0006899450.tif 000114
であり、前記kは、rより大きい又は等しく且つＭより小さい整数であることを特徴とするデータ伝送方法。
【請求項５】
前記基地局は１つのＴＢをＭ個のＣＢＧに分ける必要のあることを決定する場合、
前記基地局は事前に定義されたルールに従って１つのＴＢをＭ個のＣＢＧに分ける必要のあることを決定し、又は
前記基地局は事前に定義された複数のＭ値から１つのＴＢが分けられる必要のあるＣＢＧ個数として１つを選択し、且つ設定情報により前記Ｍ値を端末に通知することを特徴とする請求項４に記載のデータ伝送方法。
【請求項６】
前記方法ではさらに、
前記基地局は上位層シグナリングを介して前記設定情報を送信し、又は
前記基地局は下り制御チャンネルを介して前記設定情報を送信し、
前記方法はさらに、
前記基地局は端末専用の設定情報により前記Ｍ値を前記端末に通知し、又は
前記基地局は複数端末が共有する設定情報により前記Ｍ値を前記端末に通知することを含むことを特徴とする請求項５に記載のデータ伝送方法。
【請求項７】
１つの伝送ブロック（ＴＢ）をＭ個のコードブロックグループ（ＣＢＧ）に分ける必要のあることを決定するために用いる決定モジュールと、
予め設定されたグループ分け方式に従って前記１つのＴＢに対してコードブロック分割して得られた１つ又は複数のＣ個ＣＢをグループ化し、それにより前記ＴＢを前記Ｍ個のＣＢＧに分け、それにより前記ＴＢを前記Ｍ個のＣＢＧに分けるために用いるグループ化モジュールと、
前記Ｍ個のＣＢＧに基づいてデータ伝送を行うために用いるデータ伝送モジュールと、
を含み、前記Ｍは正の整数であり、
前記グループ化モジュールは、
予め設定されたグループ分け方式に従って前記Ｍ個のＣＢＧにおける各ＣＢＧ内のＣＢの個数を決定するために用いる第３決定サブモジュールと、
前記Ｍ個のＣＢＧにおける各ＣＢＧ内のＣＢの個数に従って、前記ＴＢを前記Ｍ個のＣＢＧに分けることに用いるグループ化サブモジュールとを含み、
前記第３決定サブモジュールは、
r = Ｃ ｍｏｄ Ｍを定義するために用いる第１定義ユニットと、
前記Ｍ個のＣＢＧにおけるＣＢＧkに含まれたＣＢの個数Nkを決定するために用いる第１決定ユニットとを含み、
前記Ｃは１つのＴＢがコードブロック分割された後に得られたＣＢの個数であり、前記rは前記Ｃ割る前記Ｍの余りであり、
前記Nkは、
【数１７】
0006899450.tif 000115
であり、前記kは、０より大きい又は等しく且つＭ-rより小さい整数であり、
【数１８】
0006899450.tif 000116
であり、前記kは、Ｍ-rより大きい又は等しく且つＭより小さい整数であり、
または、
前記第３決定サブモジュールは、
r = Ｃ ｍｏｄ Ｍを定義するために用いる第２定義ユニットと、
前記Ｍ個のＣＢＧにおけるＣＢＧkに含まれたＣＢの個数Nk決定するために用いる第２決定ユニットとを含み、
前記Ｃは１つのＴＢがコードブロック分割された後に得られたＣＢの個数であり、前記rは前記Ｃ割る前記Ｍの余りであり、
前記Nkは、
【数１９】
0006899450.tif 000117
であり、前記kは、０より大きい又は等しく且つＭ-rより小さい整数であり、
【数２０】
0006899450.tif 000118
であり、前記kは、Ｍ-rより大きい又は等しく且つＭより小さい整数であり、
または、
前記第３決定サブモジュールは、
r = Ｃ ｍｏｄ Ｍを定義するために用いる第３定義ユニットと、
前記Ｍ個のＣＢＧにおけるＣＢＧkに含まれたＣＢの個数Nkを決定するために用いる第３決定ユニットとを含み、
前記Ｃは１つのＴＢがコードブロック分割された後に得られたＣＢの個数であり、前記rは前記Ｃ割る前記Ｍの余りであり、
前記Nkは、
【数２１】
0006899450.tif 000119
であり、前記kは、０より大きい又は等しく且つrより小さい整数であり、
【数２２】
0006899450.tif 000120
であり、前記kは、rより大きい又は等しく且つＭより小さい整数であり、
または、
前記第３決定サブモジュールは、
r = Ｃ ｍｏｄ Ｍを定義するために用いる第４定義ユニットを含み、前記Ｃは１つのＴＢがコードブロック分割された後に得られたＣＢの個数であり、前記rは前記Ｃ割る前記Ｍの余りであり、
前記Ｍ個のＣＢＧにおけるＣＢＧkに含まれたＣＢの個数Nkを決定するために用いる第４決定ユニットを含み、前記Nkは、
【数２３】
0006899450.tif 000121
であり、前記kは、０より大きい又は等しく且つＭ-rより小さい整数であり、
【数２４】
0006899450.tif 000122
であり、前記kは、rより大きい又は等しく且つＭより小さい整数であることを特徴とする端末。
【請求項８】
前記決定モジュールは、
事前に定義されたルールに従って１つのＴＢをＭ個のＣＢＧに分ける必要のあることを決定するために用いる第１決定サブモジュールと、又は
設定情報に従って１つのＴＢをＭ個のＣＢＧに分ける必要のあることを決定するために用いる第２決定サブモジュールと、を含むことを特徴とする請求項７に記載の端末。
【請求項９】
前記端末は、
上位層シグナリングを介して前記設定情報を受信するために用い、又は下り制御チャンネルを介して前記設定情報を受信するために用いる受信モジュールをさらに含み、
前記設定情報は、
前記端末専用の設定情報と、又は
複数端末が共有する設定情報を含み、前記端末は前記複数端末のうちの１つの端末であることを特徴とする請求項８に記載の端末。
【請求項１０】
１つの伝送ブロック（ＴＢ）をＭ個のコードブロックグループ（ＣＢＧ）に分ける必要のあることを決定するために用いる決定モジュールと、
予め設定されたグループ分け方式に従って前記１つのＴＢに対してコードブロック分割して得られた１つ又は複数のＣ個ＣＢをグループ化し、それにより前記ＴＢを前記Ｍ個のＣＢＧに分け、それにより前記ＴＢを前記Ｍ個のＣＢＧに分けるために用いるグループ化モジュールと、
前記Ｍ個のＣＢＧに基づいてデータ伝送を行うために用いるデータ伝送モジュールと、
を含み、前記Ｍは正の整数であり、
前記グループ化モジュールは、
予め設定されたグループ分け方式に従って前記Ｍ個のＣＢＧにおける各ＣＢＧ内のＣＢの個数を決定するために用いる第３決定サブモジュールと、
前記Ｍ個のＣＢＧにおける各ＣＢＧ内のＣＢの個数に従って、前記ＴＢを前記Ｍ個のＣＢＧに分けることに用いるグループ化サブモジュールとを含み、
前記第３決定サブモジュールは、
r = Ｃ ｍｏｄ Ｍを定義するために用いる第１定義ユニットと、
前記Ｍ個のＣＢＧにおけるＣＢＧkに含まれたＣＢの個数Nkを決定するために用いる第１決定ユニットとを含み、
前記Ｃは１つのＴＢがコードブロック分割された後に得られたＣＢの個数であり、前記rは前記Ｃ割る前記Ｍの余りであり、
前記Nkは、
【数２５】
0006899450.tif 000123
であり、前記kは、０より大きい又は等しく且つＭ-rより小さい整数であり、
【数２６】
0006899450.tif 000124
であり、前記kは、Ｍ-rより大きい又は等しく且つＭより小さい整数であり、
または、
前記第３決定サブモジュールは、
r = Ｃ ｍｏｄ Ｍを定義するために用いる第２定義ユニットと、
前記Ｍ個のＣＢＧにおけるＣＢＧkに含まれたＣＢの個数Nk決定するために用いる第２決定ユニットとを含み、
前記Ｃは１つのＴＢがコードブロック分割された後に得られたＣＢの個数であり、前記rは前記Ｃ割る前記Ｍの余りであり、
前記Nkは、
【数２７】
0006899450.tif 000125
であり、前記kは、０より大きい又は等しく且つＭ-rより小さい整数であり、
【数２８】
0006899450.tif 000126
であり、前記kは、Ｍ-rより大きい又は等しく且つＭより小さい整数であり、
前記第３決定サブモジュールは、
r = Ｃ ｍｏｄ Ｍを定義するために用いる第３定義ユニットと、
前記Ｍ個のＣＢＧにおけるＣＢＧkに含まれたＣＢの個数Nkを決定するために用いる第３決定ユニットとを含み、
前記Ｃは１つのＴＢがコードブロック分割された後に得られたＣＢの個数であり、前記rは前記Ｃ割る前記Ｍの余りであり、
前記Nkは、
【数２９】
0006899450.tif 000127
であり、前記kは、０より大きい又は等しく且つrより小さい整数であり、
【数３０】
0006899450.tif 000128
であり、前記kは、rより大きい又は等しく且つＭより小さい整数であり、
または、
前記第３決定サブモジュールは、
r = Ｃ ｍｏｄ Ｍを定義するために用いる第４定義ユニットと、
前記Ｍ個のＣＢＧにおけるＣＢＧkに含まれたＣＢの個数Nk決定するために用いる第４決定ユニットとを含み、
前記Ｃは１つのＴＢがコードブロック分割された後に得られたＣＢの個数であり、前記rは前記Ｃ割る前記Ｍの余りであり、
前記Nkは、
【数３１】
0006899450.tif 000129
であり、前記kは、０より大きい又は等しく且つrより小さい整数であり、
【数３２】
0006899450.tif 000130
であり、前記kは、rより大きい又は等しく且つＭより小さい整数であることを特徴とする基地局。
【請求項１１】
前記決定モジュールは、
事前に定義されたルールに従って１つのＴＢをＭ個のＣＢＧに分ける必要のあることを決定するために用いる第１決定サブモジュールと、又は
事前に定義された複数のＭ値から１つのＴＢが分けられる必要のあるＣＢＧ個数として１つを選択し、且つ設定情報により前記Ｍ値を端末に通知するために用いる第２決定サブモジュールと、を含むことを特徴とする請求項１０に記載の基地局。
【請求項１２】
前記基地局はさらに送信モジュールを含み、
前記送信モジュールは、上位層シグナリングを介して前記設定情報を送信するために用い、又は下り制御チャンネルを介して前記設定情報を送信するために用いられ、
前記送信モジュールは、
端末専用の設定情報により前記Ｍ値を前記端末に通知するために、又は、
複数端末が共有する設定情報により前記Ｍ値を前記端末に通知するためにさらに用いることを特徴とする請求項１１に記載の基地局。
【発明の詳細な説明】
【技術分野】
【０００１】
本発明は、出願番号が２０１７１０３１４１９３.１であり、出願日が２０１７年５月５日であり、発明の名称がデータ伝送方法、端末及び基地局でる中国出願特許を基に提出するものであり、当該中国特許出願の優先権を主張し、当該中国特許出願の全ての内容は、参考のため本願に援用する。
【０００２】
本発明は通信分野に関し、特にデータ伝送方法、端末及び基地局に関する。
【０００３】
ＬＴＥ（ｌｏｎｇ Ｔｅｒｍ Ｅｖｏｌｕｔｉｏｎ、長期進化型）システムにおいて、ＰＤＳＣＨ（Ｐｈｙｓｉｃａｌ Ｄｏｗｎｌｉｎｋ Ｓｈａｒｅｄ ＣＨａｎｎｅｌ、物理ダウンリンク共有チャネル）及びＰＵＳＣＨ（Ｐｈｙｓｉｃａｌ Ｕｐｌｉｎｋ Ｓｈａｒｅｄ ＣＨａｎｎｅｌ、物理アップリンク共有チャネル）は、それぞれ下りデータ伝送及び上りデータ伝送に用いられる。毎回の伝送はＴＢ（Ｔｒａｎｓｐｏｒｔ Ｂｌｏｃｋ、伝送ブロック）を単位とし、１つのPDＳＣH/ＰＵＳＣＨチャンネルは配置された伝送モードに応じて、１つ又は２つのＴＢ伝送をサポートすることができる。下り伝送を例とし、端末はPDＳＣHを受信した後に受信した後に該PDＳＣHに伝送されたＴＢのＡＣＫ（Ａｃｋｎｏｗｌｅｄｇｅｍｅｎｔ、肯定確認）/ ＮＡＣＫ（Ｎｏｎ−Ａｃｋｎｏｗｌｅｄｇｅｍｅｎｔ、否定確認）に対するフィードバックを行う必要がある。ＡＣＫ/ＮＡＣＫフィードバックはＴＢに対して行われ、すなわち空間結合を用いない時に、各ＴＢは１ビットのＡＣＫ/ＮＡＣＫフィードバック情報に対応し、該ＴＢの受信が正しいか否かを示すために用いられる。複数のＴＢに伝送されたPDＳＣHを配置し且つ空間結合を使用する時、１つのPDＳＣHに搭載される各ＴＢに対応するＡＣＫ/ＮＡＣＫフィードバック情報に対してロジックと操作を行い、１ビットのＡＣＫ/ＮＡＣＫフィードバック情報を得る。上り伝送は同様である。
【０００４】
エンコーダーの複雑度の制限により、１つのＴＢはi個のＣＢ（Ｃｏｄｅ Ｂｌｏｃｋ、コードブロック）に分割する必要があり、各ＣＢに対してそれぞれエンコード及びＣＲＣ（Ｃｙｃｌｉｃ Ｒｅｄｕｎｄａｎｃｙ Ｃｈｅｃｋ、チラー修復チェック）の追加を行い、複数のエンコードされたＣＢをカスケード接続してマッピングと伝送を行う。各ＣＢは独立してエンコードされ且つＣＲＣ情報を含むため、実際に各ＣＢはいずれもＡＣＫ/ＮＡＣＫフィードバック情報を生成することができるが、各ＣＢに対してＡＣＫ/ＮＡＣＫフィードバックを全て行うと、１つのＴＢはKビットＡＣＫ/ＮＡＣＫフィードバック情報に対応する必要があり、フィードバック量が大きい。ＬＴＥシステムにおいてＡＣＫ/ＮＡＣＫフィードバック量を減少するために、ＴＢのみに対してＡＣＫ/ＮＡＣＫフィードバックを行い、すなわちただ１つのＴＢにおける全てのＣＢは正確に受信すれば、該ＴＢは正確に受信することができると見なされ、端末はフィードバック情報としてＡＣＫをフィードバックする。該ＴＢに１つのＣＢが誤って受信すれば、該ＴＢのフィードバック情報がＮＡＣＫと見なされ、基地局は該ＴＢを再送する必要がある。
【０００５】
移動通信サービスの需要の発展に伴い、ＩＴＵ（Ｉｎｔｅｒｎａｔｉｏｎａｌ Ｔｅｌｅｃｏｍｍｕｎｉｃａｔｉｏｎ Ｕｎｉｏｎ、国際電気通信連合）及び３ＧＰＰ（３ｒｄ Ｇｅｎｅｒａｔｉｏｎ Ｐａｒｔｎｅｒｓｈｉｐ Ｐｒｏｊｅｃｔ、第３世代パートナーシッププロジェクト）等の組織は、新規な無線通信システム（５ Ｇｅｎｅｒａｔｉｏｎ Ｎｅｗ ＲＡＴ、５Ｇ ＮＲ）を研究している。
【発明の概要】
【発明が解決しようとする課題】
【０００６】
従来技術に存在するＬＴＥシステムにおけるデータ伝送効率が低く及びリソース利用率が低いという技術的問題がある。  
【０００７】
従来技術に存在するＬＴＥシステムにおけるデータ伝送効率が低く及びリソース利用率が低いという技術的問題を解決するために、本発明の実施例はデータ伝送方法、端末及び基地局を提供し、１つのＴＢをＭ個のＣＢＧ（Ｃｏｄｅ Ｂｌｏｃｋ Ｇｒｏｕｐ、コードブロックグループ）に分ける必要のあるを決定する。予め設定されたグループ分け方式に従って前記１つのＴＢに対してコードブロック分割して得られた複数のＣＢをグループ化し、それにより前記１つのＴＢを前記Ｍ個のＣＢＧに分割する。前記Ｍ個のＣＢＧに基づいてデータを伝送する。前記Ｍは正の整数である。該データ伝送方法は端末又は基地局に適用する。
【０００８】
本発明の実施例をよりよく理解するために、本発明の実施例におけるＣＢＧについて、具体的に以下に説明する。
【課題を解決するための手段】
【０００９】
ＣＢＧによる送信とＡＣＫ/ＮＡＣＫフィードバックの概念は５Ｇ ＮＲによって提案されている。例えば、１つのＴＢはコードブロック分割してi個のＣＢが得られた後、i個ＣＢは一定の規則に従って複数のＣＢＧに分割され、各ＣＢＧの中に１つのＣＢのみを含み、j個のＣＢ（即ち１つのＴＢ）を含むこともでき、ここで、jは１より大きい又は等しく且つiより小さい又は等しい正の整数である。
【００１０】
ＡＣＫ/ＮＡＣＫフィードバックはＣＢＧに基づいて行うことができ、すなわち１つのＣＢＧは１つビット又は複数ビットのＡＣＫ/ＮＡＣＫフィードバック情報有することができ、それによりＡＣＫ/ＮＡＣＫフィードバックのオーバーヘッドを一定程度に増加させ、粒度がより小さいＣＢＧに基づく再送をサポートすることができる。ＣＢＧによる再送をサポートするのは、同一のＴＢとＨＡＲＱプロセスの送信エラーに対応したＣＢＧのみを再送する。上位層シグナリングを介して端末がＣＢＧに基づく再送を開始するか否かを設定することができる。
【００１１】
第一態様によれば、本発明の実施例１はデータ伝送方法を提供し、端末は１つのＴＢをＭ個のＣＢＧに分ける必要があることを決定すステップと、前記端末は予め設定されたグループ分け方式に従って前記１つのＴＢに対してコードブロック分割して得られた１つ又は複数のＣＢをグループ化し、それにより前記１つのＴＢを前記Ｍ個のＣＢＧに分割するステップと、前記端末は前記Ｍ個のＣＢＧに基づいてデータ伝送を行うステップとを含み、前記Ｍは正の整数である。
【００１２】
好ましくは、前記端末は１つのＴＢをＭ個のＣＢＧに分ける必要があることを決定する場合、前記端末は事前に定義されたルールに従って１つのＴＢをＭ個のＣＢＧに分ける必要があことを決定するステップと、又は前記端末は設定情報に従って１つのＴＢをＭ個のＣＢＧに分ける必要があることを決定するステップとを含む。
【００１３】
好ましくは、前記端末は上位層シグナリングを介して前記設定情報を受信するステップと、又は前記端末は下り制御チャンネルを介して前記設定情報を受信するステップとを含む。
【００１４】
好ましくは、前記設定情報は、前記端末専用の設定情報と、又は複数端末が共有する設定情報を含み、前記端末は前記複数端末のうちの１つの端末である。
【００１５】
好ましくは、前記端末は予め設定されたグループ分け方式に従って前記１つのＴＢに対してコードブロック分割して得られた１つ又は複数のＣＢをグループ化し、それにより前記ＴＢを前記Ｍ個のＣＢＧに分ける場合、前記端末は予め設定されたグループ分け方式に従って前記Ｍ個のＣＢＧにおける各ＣＢＧ内のＣＢの個数を決定し、前記端末は決定された前記Ｍ個のＣＢＧにおける各ＣＢＧ内のＣＢの個数に従って、前記ＴＢを前記Ｍ個のＣＢＧに分ける。
好ましくは、前記端末は予め設定されたグループ分け方式に従って前記Ｍ個ＣＢＧにおける各ＣＢＧ内のＣＢの個数を決定する場合、前記端末はr = Ｃ ｍｏｄ Ｍを定義し、前記Ｃは１つのＴＢがコードブロック分割して得られたＣＢの個数であり、前記rは前記Ｃ割る前記Ｍの余りであり、前記端末が決定する前記Ｍ個ＣＢＧにおけるＣＢＧkに含まれたＣＢの個数 Nkは、
【数１】
0006899450.tif 000002
前記kはＭ-rより大きい又は等しく且つＭより小さい整数である。
好ましくは、前記端末は予め設定されたグループ分け方式に従って前記Ｍ個ＣＢＧにおける各ＣＢＧ内のＣＢの個数を決定する場合、r = Ｃ ｍｏｄ Ｍを定義し、前記Ｃは１つのＴＢがコードブロック分割して得られたＣＢの個数であり、前記rは前記Ｃ割る前記Ｍの余りであり、前記端末が決定する前記Ｍ個ＣＢＧにおけるＣＢＧkに含まれたＣＢの個数 Nkは、   
【数２】
0006899450.tif 000003
前記kはＭ-rより大きい又は等しく且つＭより小さい整数である。
好ましくは、前記端末は予め設定されたグループ分け方式に従って前記Ｍ個ＣＢＧにおける各ＣＢＧ内のＣＢの個数を決定する場合、r = Ｃ ｍｏｄ Ｍを定義し、前記Ｃは１つのＴＢがコードブロック分割された後に得られたＣＢの個数であり、前記rは前記Ｃ割る前記Ｍの余りである。前記端末が決定する前記Ｍ個ＣＢＧにおけるＣＢＧkに含まれたＣＢの個数 Nkは、  
【数３】
0006899450.tif 000004
前記kはrより大きい又は等しく且つＭより小さい整数である。
好ましくは、前記端末は予め設定されたグループ分け方式に従って前記Ｍ個ＣＢＧにおける各ＣＢＧ内のＣＢの個数を決定する場合、r = Ｃ ｍｏｄ Ｍを定義し、前記Ｃは１つのＴＢがコードブロック分割された後に得られたＣＢの個数であり、前記rは前記Ｃ割る前記Ｍの余りである。前記端末が決定する前記Ｍ個ＣＢＧにおけるＣＢＧkに含まれたＣＢの個数 Nkは、  
【数４】
0006899450.tif 000005
前記kはrより大きい又は等しく且つＭより小さい整数である。
【００１６】
第二態様によれば、本発明の実施例２はデータ伝送方法を提供し、基地局は１つのＴＢをＭ個のＣＢＧに分ける必要があることを決定するステップと、前記基地局は予め設定されたグループ分け方式に従って前記１つのＴＢに対してコードブロック分割して得られた１つ又は複数のＣＢをグループ化し、それにより前記１つのＴＢを前記Ｍ個のＣＢＧに分割するステップと、前記基地局は前記Ｍ個のＣＢＧに基づいてデータ伝送を行うステップとを含み、前記Ｍは正の整数である。
【００１７】
好ましくは、前記基地局は１つのＴＢをＭ個のＣＢＧに分ける必要があることを決定する場合、前記基地局は事前に定義されたルールに従って１つのＴＢをＭ個のＣＢＧに分ける必要があことを決定し、又は前記基地局は事前に定義された複数のＭ値から１つのＴＢが分けられる必要のあるＣＢＧ個数として１つを選択し、且つ設定情報により前記Ｍ値を端末に通知する。
【００１８】
好ましくは、前記基地局は上位層シグナリングを介して前記設定情報を送信する。又は前記基地局は下り制御チャンネルを介して前記設定情報を送信する。
【００１９】
好ましくは、前記基地局は端末専用の設定情報により前記Ｍ値を前記端末に通知する。又は前記基地局は複数端末が共有する設定情報により前記Ｍ値を前記端末に通知する。
【００２０】
好ましくは、前記基地局は予め設定されたグループ分け方式に従って前記１つのＴＢに対してコードブロック分割して得られた１つ又は複数のＣＢをグループ化し、それにより前記ＴＢを前記Ｍ個のＣＢＧにわける場合、前記基地局は予め設定されたグループ分け方式に従って前記Ｍ個ＣＢＧにおける各ＣＢＧ内のＣＢの個数を決定し、前記基地局は決定された前記Ｍ個のＣＢＧにおける各ＣＢＧ内のＣＢの個数に従って、前記ＴＢを前記Ｍ個のＣＢＧに分ける。
好ましくは、前記基地局は予め設定されたグループ分け方式に従って前記Ｍ個ＣＢＧにおける各ＣＢＧ内のＣＢの個数を決定する場合、前記基地局のr = Ｃ ｍｏｄ Ｍを定義し、前記Ｃは１つのＴＢがコードブロック分割された後に得られたＣＢの個数であり、前記rは前記Ｃ割る前記Ｍの余りである。前記基地局が決定する前記Ｍ個ＣＢＧにおけるＣＢＧkに含まれたＣＢの個数 Nkは、      
【数５】
0006899450.tif 000006
前記kはＭ-rより大きい又は等しく且つＭより小さい整数であり、
好ましくは、前記基地局は予め設定されたグループ分け方式に従って前記Ｍ個ＣＢＧにおける各ＣＢＧ内のＣＢの個数を決定する場合、r = Ｃ ｍｏｄ Ｍを定義し、前記Ｃは１つのＴＢがコードブロック分割された後に得られたＣＢの個数であり、前記rは前記Ｃ割る前記Ｍの余りである。前記基地局が決定する前記Ｍ個ＣＢＧにおけるＣＢＧkに含まれたＣＢの個数 Nkは、      
【数６】
0006899450.tif 000007
前記kはＭ-rより大きい又は等しく且つＭより小さい整数である。
好ましくは、前記基地局は予め設定されたグループ分け方式に従って前記Ｍ個ＣＢＧにおける各ＣＢＧ内のＣＢの個数を決定する場合、r = Ｃ ｍｏｄ Ｍを定義し、前記Ｃは１つのＴＢがコードブロック分割された後に得られたＣＢの個数であり、前記rは前記Ｃ割る前記Ｍの余りである。前記基地局が決定する前記Ｍ個ＣＢＧにおけるＣＢＧkに含まれたＣＢの個数 Nkは、      
【数７】
0006899450.tif 000008
前記kはrより大きい又は等しく且つＭより小さい整数である。
好ましくは、前記基地局は予め設定されたグループ分け方式に従って前記Ｍ個ＣＢＧにおける各ＣＢＧ内のＣＢの個数を決定する場合、r = Ｃ ｍｏｄ Ｍを定義し、前記Ｃは１つのＴＢがコードブロック分割された後に得られたＣＢの個数であり、前記rは前記Ｃ割る前記Ｍの余りであり、前記基地局が決定する前記Ｍ個ＣＢＧにおけるＣＢＧkに含まれたＣＢの個数 Nkは、      
【数８】
0006899450.tif 000009
前記kはrより大きい又は等しく且つＭより小さい整数である。
【００２１】
第三態様によれば、本発明の実施例３は端末を提供し、前記端末は、一つのＴＢをＭ個のＣＢＧに分ける必要があることを決定するために用いる決定モジュールと、予め設定されたグループ分け方式に従って前記１つのＴＢに対してコードブロック分割して得られた１つ又は複数のＣ個のＣＢをグループ化し、それにより前記ＴＢを前記Ｍ個のＣＢＧにわけることに用いるグループ化モジュールと、前記Ｍ個のＣＢＧに従ってデータ伝送を行うことに用いるデータ伝送モジュールとを含み、前記Ｍは正の整数である。
【００２２】
好ましくは、前記決定モジュールは、事前に定義されたルール従って１つのＴＢをＭ個のＣＢＧに分ける必要があることを決定するために用いる第１決定サブモジュールと、又は設定情報に従って１つのＴＢをＭ個のＣＢＧに分ける必要があることを決定するために用いる第２決定サブモジュールとを含む。
【００２３】
好ましくは、前記端末は上位層シグナリングを介して前記設定情報を受信する。又は前記端末は下り制御チャンネルを介して前記設定情報を受信する。
【００２４】
好ましくは、前記設定情報は、前記端末専用の設定情報と、又は複数端末が共有する設定情報を含み、前記端末は前記複数端末のうちの１つの端末である。
【００２５】
好ましくは、前記グループ化モジュールは、予め設定されたグループ分け方式に従って前記Ｍ個ＣＢＧにおける各ＣＢＧ内のＣＢの個数を決定するために用いる第３決定サブモジュールと、決定された前記Ｍ個のＣＢＧにおける各ＣＢＧ内のＣＢの個数に従って、前記ＴＢを前記Ｍ個のＣＢＧに分けるために用いるグループ化サブモジュールとを含む。
好ましくは、前記第３決定サブモジュールは、r = Ｃ ｍｏｄ Ｍを定義するために用いる第１定義ユニットと、前記Ｍ個ＣＢＧにおけるＣＢＧkに含まれたＣＢの個数 Nkを決定するために用いる第１決定ユニットとを含み、前記Ｃは１つのＴＢがコードブロック分割された後に得られたＣＢの個数であり、前記rは前記Ｃ割る前記Ｍの余りであり、前記 Nkは、
【数９】
0006899450.tif 000010
前記kはＭ-rより大きい又は等しく且つＭより小さい整数である。
好ましくは、前記第３決定サブモジュールは、r = Ｃ ｍｏｄ Ｍを定義するために用いる第２定義ユニットと、前記Ｍ個ＣＢＧにおけるＣＢＧkに含まれたＣＢの個数 Nkを決定するために用いる第２決定ユニットとを含み、前記Ｃは１つのＴＢがコードブロック分割された後に得られたＣＢの個数であり、前記rは前記Ｃ割る前記Ｍの余りであり、前記 Nkは、
【数１０】
0006899450.tif 000011
前記kはＭ-rより大きい又は等しく且つＭより小さい整数である。
好ましくは、前記第３決定サブモジュールは、r = Ｃ ｍｏｄ Ｍを定義するために用いる第３定義ユニットと、前記端末が前記Ｍ個ＣＢＧにおけるＣＢＧkに含まれたＣＢの個数 Nkを決定するために用いる第３決定ユニットとを含み、前記Ｃは１つのＴＢがコードブロック分割された後に得られたＣＢの個数であり、前記rは前記Ｃ割る前記Ｍの余りであり、前記 Nkは、
【数１１】
0006899450.tif 000012
前記kはrより大きい又は等しく且つＭより小さい整数である。
好ましくは、前記第３決定サブモジュールは、r = Ｃ ｍｏｄ Ｍを定義するために用いる第４定義ユニットと、前記Ｍ個ＣＢＧにおけるＣＢＧkに含まれたＣＢの個数 Nkを決定するために用いる第４決定ユニットとを含み、前記Ｃは１つのＴＢがコードブロック分割された後に得られたＣＢの個数であり、前記rは前記Ｃ割る前記Ｍの余りであり、前記 Nkは、
【数１２】
0006899450.tif 000013
前記kはrより大きい又は等しく且つＭより小さい整数である。
【００２６】
第四態様であって、本発明の実施例４は基地局を提供し、前記基地局は、一つのＴＢをＭ個のＣＢＧに分ける必要があることを決定するために用いる決定モジュールと、予め設定されたグループ分け方式に従って前記１つのＴＢに対してコードブロック分割して得られた１つ又は複数のＣ個のＣＢをグループ化し、それにより前記ＴＢを前記Ｍ個のＣＢＧにわけることに用いるグループ化モジュールと、前記Ｍ個のＣＢＧに従ってデータ伝送を行うことに用いるデータ伝送モジュールを含み、前記Ｍは正の整数である。
【００２７】
好ましくは、前記決定モジュールは、事前に定義されたルールに従って１つのＴＢをＭ個のＣＢＧに分ける必要があることを決定するために用いる第１決定サブモジュールと、又は事前に定義された複数のＭ値から１つのＴＢが分けられる必要のあるＣＢＧ個数として１つを選択し、且つ設定情報により前記Ｍ値を端末に通知するするために用いる第２決定サブモジュールを含む。
【００２８】
好ましくは、前記基地局は、上位層シグナリングを介して前記設定情報を送信するために用い、又は下り制御チャンネルを介して前記設定情報を送信するために用いる前記送信モジュールをさらに含む。
【００２９】
好ましくは、前記送信モジュールは、端末専用の設定情報により前記Ｍ値を前記端末に通知し、又は複数端末が共有する設定情報により前記Ｍ値を前記端末に通知することにさらに用いる。
【００３０】
好ましくは、前記グループ化モジュールは、予め設定されたグループ分け方式に従って前記Ｍ個ＣＢＧにおける各ＣＢＧ内のＣＢの個数を決定するために用いる第３決定サブモジュールと、決定された前記Ｍ個のＣＢＧにおける各ＣＢＧ内のＣＢの個数に従って、前記ＴＢを前記Ｍ個のＣＢＧに分けるために用いるグループ化サブモジュールを含む。
好ましくは、前記第３決定サブモジュールは、r = Ｃ ｍｏｄ Ｍを定義するために用いる第１定義ユニットと、前記Ｍ個ＣＢＧにおけるＣＢＧkに含まれたＣＢの個数 Nkを決定するために用いる第１決定ユニットとを含み、前記Ｃは１つのＴＢがコードブロック分割された後に得られたＣＢの個数であり、前記rは前記Ｃ割る前記Ｍの余りであり、前記 Nkは、
【数１３】
0006899450.tif 000014
前記kはＭ-rより大きい又は等しく且つＭより小さい整数である。
好ましくは、前記第３決定サブモジュールは、r = Ｃ ｍｏｄ Ｍを定義するために用いる第２定義ユニットと、前記Ｍ個ＣＢＧにおけるＣＢＧkに含まれたＣＢの個数 Nkを決定するために用いる第２決定ユニットとを含み、前記Ｃは１つのＴＢがコードブロック分割された後に得られたＣＢの個数であり、前記rは前記Ｃ割る前記Ｍの余りであり、前記 Nkは、
【数１４】
0006899450.tif 000015
前記kはＭ-rより大きい又は等しく且つＭより小さい整数である。
３好ましくは、前記第３決定サブモジュールは、r = Ｃ ｍｏｄ Ｍを定義するために用いる第３定義ユニットと、前記Ｍ個ＣＢＧにおけるＣＢＧkに含まれたＣＢの個数 Nkを決定するために用いる第３決定ユニットとを含み、前記Ｃは１つのＴＢがコードブロック分割された後に得られたＣＢの個数であり、前記rは前記Ｃ割る前記Ｍの余りであり、前記 Nkは、
【数１５】
0006899450.tif 000016
前記kはrより大きい又は等しく且つＭより小さい整数である。
好ましくは、前記第３決定サブモジュールは、r = Ｃ ｍｏｄ Ｍを定義するために用いる第４定義ユニットと、前記Ｍ個ＣＢＧにおけるＣＢＧkに含まれたＣＢの個数 Nkを決定するために用いる第４決定ユニットとを含み、前記Ｃは１つのＴＢがコードブロック分割された後に得られたＣＢの個数であり、前記rは前記Ｃ割る前記Ｍの余りであり、前記 Nkは、
【数１６】
0006899450.tif 000017
前記kはrより大きい又は等しく且つＭより小さい整数である。
【００３１】
第五態様によれば、本発明の実施例５は、メモリに格納されたコンピュータプログラムを実行するときに、第一態様又は第二態様における前記方法のステップをを実施するように構成されたプロセッサを含むコンピュータ装置を提供する。
【００３２】
第六態様によれば、本発明の実施例６は、プロセッサによって実行されると、第一態様又は第二態様における前記方法のステップをを実施するためのコンピュータプログラムを記憶するコンピュータ可読記憶媒体。
【発明の効果】
【００３３】
本発明の実施例におけるデータ伝送方法、端末及び基地局は、ＣＢをＣＢＧに分け、ＣＢＧに基づく再送及びＡＣＫ/ＮＡＣＫフィードバックをサポートし、従来技術に存在する上記技術的問題を解決し、ＬＴＥシステムにおいてデータ伝送を行う時に、不要な再送や冗長を減少し、伝送効率を向上させるという技術的効果を達成する。
【図面の簡単な説明】
【００３４】
【図１】本発明実施例におけるデータ伝送方法の第１フローチャートである。
【図２】本発明実施例におけるデータ伝送方法の第２フローチャートである。
【図３】本発明実施例における端末の模式図である。
【図４】本発明実施例における基地局の模式図である。
【図５】本発明のもう一つの実施例における端末の模式図である。
【図６】本発明のもう一つの実施例における基地局の模式図である。
【発明を実施するための形態】
【００３５】
従来技術に存在するＬＴＥシステムにおけるデータ伝送効率が低く及びリソース利用率が低いという技術的問題を解決するために、本発明の実施例はデータ伝送方法、端末及び基地局を提供する。本発明の実施例の中では、１つのＴＢをＭ個のＣＢＧに分ける必要のあるを決定し、予め設定されたグループ分け方式に従って該ＴＢコードブロックに分割して得られた複数のＣＢをグループ化し、それにより該ＴＢをＭ個のＣＢＧに分け、且つＭ個のＣＢＧに基づいてデータ伝送を行う。ここで、Ｍは正の整数である。該グループ化方法は端末又は基地局に適用する。
【００３６】
上記技術解決方式をよりよく理解するために、添付する簡単な図面及び具体的な実施例を参考にしながら、上記技術解決方式を以下詳細に説明する。
【００３７】
図１に示すように、本発明の実施例１はデータ伝送方法を提供し、以下を含む。
【００３８】
Ｓ１１０において、端末は１つのＴＢをＭ個のＣＢＧに分ける必要のあることを決定する。
【００３９】
Ｓ１２０において、前記端末は予め設定されたグループ分け方式に従って前記１つのＴＢに対してコードブロック分割して得られた１つ又は複数のＣＢをグループ化し、それにより前記ＴＢを前記Ｍ個のＣＢＧに分ける。
【００４０】
Ｓ１３０において、前記端末は前記Ｍ個のＣＢＧに基づいてデータ伝送を行う。
【００４１】
前記Ｍは正の整数である。
【００４２】
前記ステップＳ１１０は具体的に、前記端末は事前に定義されたルールに従って１つのＴＢをＭ個のＣＢＧに分ける必要のあることを決定することと、又は前記端末は設定情報に従って１つのＴＢをＭ個のＣＢＧに分ける必要のあることを決定することを含むことができる。
【００４３】
ここで、端末は以下の方式で前記設定情報を受信できる。前記端末は上位層シグナリングを介して前記設定情報を受信する。又は前記端末は下り制御チャンネルを介して前記設定情報を受信する。
【００４４】
前記設定情報は、前記端末専用の設定情報と、又は複数端末が共有する設定情報を含む。前記端末は前記複数端末のうちの１つの端末である。
【００４５】
異なるＴＢＳ（Ｔｒａｎｓｐｏｒｔ Ｂｌｏｃｋ Ｓｉｚｅ、伝送ブロックサイズ）のＴＢに対応するＭサイズは同一であってもよいし、異なっていてもよい。前記端末は  前記１つのＴＢにＡＣＫ/ＮＡＣＫフィードバックする時のコードブック（ｃｏｄｅｂｏｏｋ）サイズもＭビットであることを決定できる。
【００４６】
前記１つのＴＢをコードブロック分割して得られた１つ又は複数のＣＢはＬＴＥシステムにおける実現方式を用いることができる。
【００４７】
前記ステップＳ１２０は、具体的に、前記端末は予め設定されたグループ分け方式に従って前記Ｍ個ＣＢＧにおける各ＣＢＧ内のＣＢの個数を決定することと、前記端末は決定された前記Ｍ個のＣＢＧにおける各ＣＢＧ内のＣＢの個数に従って、前記ＴＢを前記Ｍ個のＣＢＧに分けることを含むことができる。つまり、前記Ｍ個ＣＢＧにおける各ＣＢＧは一組のＣＢを含む。
【００４８】
前記端末は予め設定されたグループ分け方式に従って前記Ｍ個ＣＢＧにおける各ＣＢＧ内のＣＢの個数を決定することは、以下４つの方式で実現することができる（但し、この４つの方式に限定されるものではない）。
【００４９】
第一実現形態
【００５０】
前記端末はr = Ｃ ｍｏｄ Ｍを定義する。前記Ｃは１つのＴＢがコードブロック分割された後に得られたＣＢの個数であり、前記rは前記Ｃ割る前記Ｍの余りである。  
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記端末が前記Ｍ個ＣＢＧにおけるＣＢＧkに含まれたＣＢの個数 Nkを決定する方式は方式ａ１と方式ｂ１に分けることができる。
【００５１】
前記方式ａ１は、
【数１７】
0006899450.tif 000018
【００５２】
前記方式ｂ１は、
【数１８】
0006899450.tif 000019
具体的に、方式ａ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
ＣＢＧ０とＣＢＧ１は
【数１９】
0006899450.tif 000020
具体的に、方式ａ１について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数２０】
0006899450.tif 000021
方式ｂ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数２１】
0006899450.tif 000022
【００５３】
第二実現形態
【００５４】
前記端末はr = Ｃ ｍｏｄ Ｍを定義する。前記Ｃは１つのＴＢがコードブロック分割された後に得られたＣＢの個数であり、前記rは前記Ｃ割る前記Ｍの余りである。
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記端末が前記Ｍ個ＣＢＧにおけるＣＢＧkに含まれたＣＢの個数 Nkを決定する方式は方式ａ２と方式ｂ２に分けることができる。
【００５５】
前記方式ａ２は、
【数２２】
0006899450.tif 000023
【００５６】
前記方式ｂ２は、
【数２３】
0006899450.tif 000024
具体的に、方式ａ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数２４】
0006899450.tif 000025
具体的に、方式ａ２について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数２５】
0006899450.tif 000026
方式ｂ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数２６】
0006899450.tif 000027
【００５７】
第三実現形態
【００５８】
前記端末はr = Ｃ ｍｏｄ Ｍを定義する。前記Ｃは１つのＴＢがコードブロック分割された後に得られたＣＢの個数であり、前記rは前記Ｃ割る前記Ｍの余りである。
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記端末が前記Ｍ個ＣＢＧにおけるＣＢＧkに含まれたＣＢの個数 Nkを決定する方式は方式 ａ３と方式 ｂ３に分けることができる。
【００５９】
前記方式ａ３は、
【数２７】
0006899450.tif 000028
【００６０】
前記方式ｂ３は、
【数２８】
0006899450.tif 000029
具体的に、方式ａ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数２９】
0006899450.tif 000030
具体的に、方式ａ３について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数３０】
0006899450.tif 000031
0006899450.tif 000032
方式ｂ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数３１】
0006899450.tif 000033
【００６１】
第四実現形態
【００６２】
前記端末はr = Ｃ ｍｏｄ Ｍを定義する。前記Ｃは１つのＴＢがコードブロック分割された後に得られたＣＢの個数であり、前記rは前記Ｃ割る前記Ｍの余りである。
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記端末が前記Ｍ個ＣＢＧにおけるＣＢＧkに含まれたＣＢの個数 Nkを決定する方式は方式ａ４と方式ｂ４に分けることができる。
【００６３】
前記方式ａ４は、
【数３２】
0006899450.tif 000034
【００６４】
前記方式ｂ４は、
【数３３】
0006899450.tif 000035
具体的に、方式ａ４について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数３４】
0006899450.tif 000036
具体的に、方式ａ４について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数３５】
0006899450.tif 000037
方式ｂ４について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数３６】
0006899450.tif 000038
【００６５】
ここで、各ＣＢＧ中に含まれたＣＢの個数は１つのＴＢのＴＢＳ（Ｔｒａｎｓｐｏｒｔ Ｂｌｏｃｋ Ｓｉｚｅ、伝送ブロックサイズ）の変化によって変化する。
【００６６】
前記ステップＳ１３０における前記端末は前記Ｍ個のＣＢＧに基づいてデータ伝送を行い、具体的には前記端末は前記Ｍ個のＣＢＧに基づいてＡＣＫ/ＮＡＣＫフィードバック及び/又は再送を行うことを含む。
【００６７】
例えば、上りにてデータ伝送する際、端末は１つのＴＢを送信し、基地局は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を端末に送信し、端末はフィードバック情報を受信した後、同様のＣＢグループ化方式に基づいて各フィードバック情報に対応するＣＢＧを決定した後、対応するフィードバック情報であるＮＡＣＫのＣＢＧ中の情報を再送する。
【００６８】
又は、下りにてデータ伝送する際、基地局は１つのＴＢを送信し、端末は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を基地局に送信し、基地局はフィードバック情報を受信した後、同様のＣＢグループ化方式に基づいて各フィードバック情報に対応するＣＢＧを決定した後、対応するフィードバック情報であるＮＡＣＫのＣＢＧ中の情報を再送する。
【００６９】
図２に示すように、本発明の実施例２はデータ伝送方法を提供し、以下を含む。
【００７０】
Ｓ２１０、基地局は１つのＴＢをＭ個のＣＢＧに分ける必要のあることを決定する。
【００７１】
Ｓ２２０、前記基地局は予め設定されたグループ分け方式に従って前記１つのＴＢに対してコードブロック分割して得られた１つ又は複数のＣＢをグループ化し、それにより前記ＴＢを前記Ｍ個のＣＢＧに分ける。
【００７２】
Ｓ２３０、前記基地局は前記Ｍ個のＣＢＧに従ってデータ伝送を行う。
【００７３】
前記Ｍは正の整数である。
【００７４】
前記ステップＳ２１０は具体的に、前記基地局は事前に定義されたルールに従って１つのＴＢをＭ個のＣＢＧに分ける必要のあることを決定するを含むことができる。
【００７５】
また、前記基地局は事前に定義された複数のＭ値から１つのＴＢが分けられる必要のあるＣＢＧ個数として１つを選択し、且つ設定情報により前記Ｍ値を端末に通知し、それにより、端末は前記設定情報に基づいて端末側のＴＢをグループ化ができる。前記基地局は上位層シグナリングを介して前記設定情報を送信し、又は前記基地局は下り制御チャンネルを介して前記設定情報を送信する。
【００７６】
前記基地局は端末専用の設定情報により前記Ｍ値を前記端末に通知する。又は、前記基地局は複数端末が共有する設定情報により前記Ｍ値を前記端末に通知する。
【００７７】
異なるＴＢＳ（Ｔｒａｎｓｐｏｒｔ Ｂｌｏｃｋ Ｓｉｚｅ、伝送ブロックサイズ）のＴＢに対応するＭサイズは同一であってもよいし、異なっていてもよい。前記基地局は前記１つのＴＢにＡＣＫ/ＮＡＣＫフィードバックする時のコードブック（ｃｏｄｅｂｏｏｋ）サイズもＭビットであることを決定できる。
【００７８】
前記１つのＴＢをコードブロック分割して得られた１つ又は複数のＣＢはＬＴＥシステムにおける実現方式を用いることができる。
【００７９】
前記ステップＳ２２０は具体的に、前記基地局は予め設定されたグループ分け方式に従って前記Ｍ個ＣＢＧにおける各ＣＢＧ内のＣＢの個数を決定することと、前記基地局は決定された前記Ｍ個のＣＢＧにおける各ＣＢＧ内のＣＢの個数に従って、前記ＴＢを前記Ｍ個のＣＢＧに分けることを含むことができる。つまり、前記Ｍ個ＣＢＧにおける各ＣＢＧは一組のＣＢを含む。
【００８０】
前記基地局は予め設定されたグループ分け方式に従って前記Ｍ個ＣＢＧにおける各ＣＢＧ内のＣＢの個数を決定することは、以下４つの方式で実現することができる（但し、この４つの方式に限定されるものではない）。
【００８１】
第一実現形態
【００８２】
前記基地局はr = Ｃ ｍｏｄ Ｍを定義する。前記Ｃは１つのＴＢがコードブロック分割された後に得られたＣＢの個数であり、前記rは前記Ｃ割る前記Ｍの余りである。
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記基地局が前記Ｍ個ＣＢＧにおけるＣＢＧkに含まれたＣＢの個数 Nkを決定する方式は方式ａ１と方式ｂ１に分けることができる。
【００８３】
前記方式ａ１は、
【数３７】
0006899450.tif 000039
【００８４】
前記方式ｂ１は、
【数３８】
0006899450.tif 000040
具体的に、方式ａ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数３９】
0006899450.tif 000041
具体的に、方式ａ１について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数４０】
0006899450.tif 000042
方式ｂ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数４１】
0006899450.tif 000043
【００８５】
第二実現形態
【００８６】
前記基地局はr = Ｃ ｍｏｄ Ｍを定義する。前記Ｃは１つのＴＢがコードブロック分割された後に得られたＣＢの個数であり、前記rは前記Ｃ割る前記Ｍの余りである。
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記基地局が前記Ｍ個ＣＢＧにおけるＣＢＧkに含まれたＣＢの個数 Nkを決定する方式は方式ａ２と方式ｂ２に分けることができる。
【００８７】
前記方式ａ２は、
【数４２】
0006899450.tif 000044
【００８８】
前記方式ｂ２は、
【数４３】
0006899450.tif 000045
具体的に、方式ａ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数４４】
0006899450.tif 000046
具体的に、方式ａ２について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数４５】
0006899450.tif 000047
方式ｂ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数４６】
0006899450.tif 000048
【００８９】
第三実現形態
【００９０】
前記基地局はr = Ｃ ｍｏｄ Ｍを定義する。前記Ｃは１つのＴＢがコードブロック分割された後に得られたＣＢの個数であり、前記rは前記Ｃ割る前記Ｍの余りである。
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記基地局が前記Ｍ個ＣＢＧにおけるＣＢＧkに含まれたＣＢの個数 Nkを決定する方式は方式ａ３と方式ｂ３に分けることができる。
【００９１】
前記方式ａ３は、
【数４７】
0006899450.tif 000049
【００９２】
前記方式ｂ３は、
【数４８】
0006899450.tif 000050
具体的に、方式ａ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数４９】
0006899450.tif 000051
具体的に、方式ａ３について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数５０】
0006899450.tif 000052
方式ｂ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数５１】
0006899450.tif 000053
【００９３】
第四実現形態
【００９４】
前記基地局はr = Ｃ ｍｏｄ Ｍを定義する。前記Ｃは１つのＴＢがコードブロック分割された後に得られたＣＢの個数であり、前記rは前記Ｃ割る前記Ｍの余りである。
前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記基地局が前記Ｍ個ＣＢＧにおけるＣＢＧkに含まれたＣＢの個数 Nkを決定する方式は方式ａ４と方式ｂ４に分けることができる。
【００９５】
前記方式ａ４は、
【数５２】
0006899450.tif 000054
【００９６】
前記方式ｂ４は、
【数５３】
0006899450.tif 000055
具体的に、方式ａ４について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数５４】
0006899450.tif 000056
具体的に、方式ａ４について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数５５】
0006899450.tif 000057
方式ｂ４について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数５６】
0006899450.tif 000058
【００９７】
ここで、各ＣＢＧ中に含まれたＣＢの個数は１つのＴＢのＴＢＳ（Ｔｒａｎｓｐｏｒｔ Ｂｌｏｃｋ Ｓｉｚｅ、伝送ブロックサイズ）の変化によって変化する。
【００９８】
前記ステップＳ２３０における前記基地局は前記Ｍ個のＣＢＧに基づいてデータ伝送を行い、具体的には前記基地局は前記Ｍ個のＣＢＧに基づいてＡＣＫ/ＮＡＣＫフィードバック及び/又は再送を行うことを含む。
【００９９】
例えば、上りにてデータ伝送する際、端末は１つのＴＢを送信し、基地局は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を端末に送信し、端末はフィードバック情報を受信した後、同様のＣＢグループ化方式に基づいて各フィードバック情報に対応するＣＢＧを決定した後、対応するフィードバック情報であるＮＡＣＫのＣＢＧ中の情報を再送する。
【０１００】
又は、下りにてデータ伝送する際、基地局は１つのＴＢを送信し、端末は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を基地局に送信し、基地局はフィードバック情報を受信した後、同様のＣＢグループ化方式に基づいて各フィードバック情報に対応するＣＢＧを決定した後、対応するフィードバック情報であるＮＡＣＫのＣＢＧ中の情報を再送する。
【０１０１】
図３に示すように、本発明の実施例３は端末３を提供し、該端末は前述の実施例における端末側が実行する方法フローを実現することができる。
【０１０２】
前記端末３は、
１つのＴＢをＭ個のＣＢＧに分ける必要のあることを決定するために用いる決定モジュール３１０と、予め設定されたグループ分け方式に従って前記１つのＴＢに対してコードブロック分割して得られた１つ又は複数のＣＢをグループ分けし、それにより前記ＴＢを前記Ｍ個のＣＢＧに分けるために用いるグループ化モジュール３２０と、前記Ｍ個のＣＢＧに基づいてデータ伝送を行うために用いるデータ伝送モジュール３３０とを含む。
【０１０３】
前記Ｍは正の整数である。
【０１０４】
前記決定モジュール３１０は、事前に定義されたルールに従って１つのＴＢをＭ個のＣＢＧに分ける必要のあることを決定するために用いる第１決定サブモジュールと、又は設定情報に従って１つのＴＢをＭ個のＣＢＧに分ける必要のあることを決定するために用いる第２決定サブモジュールとを含むことができる。
【０１０５】
ここで 前記端末は上位層シグナリングを介して前記設定情報を受信する。又は前記端末下り制御チャンネルを介して前記設定情報を受信する。
【０１０６】
設定情報は、前記端末専用の設定情報と、又は複数端末が共有する設定情報を含むことができる。前記端末は前記複数端末のうちの１つの端末である。
【０１０７】
異なるＴＢＳ（Ｔｒａｎｓｐｏｒｔ Ｂｌｏｃｋ Ｓｉｚｅ、伝送ブロックサイズ）のＴＢに対応するＭサイズは同一であってもよいし、異なっていてもよい。前記端末は前記１つのＴＢにＡＣＫ/ＮＡＣＫフィードバックする時のコードブック（ｃｏｄｅｂｏｏｋ）サイズもＭビットであることを決定できる。
【０１０８】
前記グループ化モジュール３２０は、予め設定されたグループ分け方式に従って前記Ｍ個ＣＢＧにおける各ＣＢＧ内のＣＢの個数を決定するために用いる第３決定サブモジュールと、決定された前記Ｍ個のＣＢＧにおける各ＣＢＧ内のＣＢの個数に従って、前記ＴＢを前記Ｍ個のＣＢＧに分けるために用いるグループ化サブモジュールを含む。つまり、前記Ｍ個ＣＢＧにおける各ＣＢＧは一組のＣＢを含む。前記第３決定サブモジュールは、予め設定されたグループ分け方式に従って前記Ｍ個ＣＢＧにおける各ＣＢＧ内のＣＢの個数を決定することは、以下４つの方式で実現することができる（但し、この４つの方式に限定されるものではない）。
【０１０９】
第一実現形態
前記第３決定サブモジュールは第１定義ユニットと第１決定ユニットを含む。前記第１定義ユニットは、r = Ｃ ｍｏｄ Ｍを定義するのに用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第１決定ユニットが前記Ｍ個ＣＢＧにおけるＣＢＧkに含まれたＣＢの個数 Nkを決定する方式は、方式ａ１と方式ｂ１に分けることができる。
【０１１０】
前記方式ａ１は、
【数５７】
0006899450.tif 000059
【０１１１】
前記方式ｂ１は、
【数５８】
0006899450.tif 000060
具体的に、方式ａ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数５９】
0006899450.tif 000061
具体的に、方式ａ１について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数６０】
0006899450.tif 000062
方式ｂ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数６１】
0006899450.tif 000063
【０１１２】
第二実現形態
前記第３決定サブモジュールは第２定義ユニットと第２決定ユニットを含む。前記第２定義ユニットは、r = Ｃ ｍｏｄ Ｍを定義するのに用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第２決定ユニットが前記Ｍ個ＣＢＧにおけるＣＢＧkに含まれたＣＢの個数 Nkを決定する方式は、方式ａ２と方式ｂ２に分けることができる。
【０１１３】
前記方式ａ２は、
【数６２】
0006899450.tif 000064
【０１１４】
前記方式ｂ２は、
【数６３】
0006899450.tif 000065
具体的に、方式ａ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数６４】
0006899450.tif 000066
具体的に、方式ａ２について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数６５】
0006899450.tif 000067
方式ｂ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数６６】
0006899450.tif 000068
【０１１５】
第三実現形態
前記第３決定サブモジュールは第３定義ユニットと第３決定ユニットを含む。前記第３定義ユニットは、r = Ｃ ｍｏｄ Ｍを定義するのに用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第３決定ユニットが前記Ｍ個ＣＢＧにおけるＣＢＧkに含まれたＣＢの個数 Nkを決定する方式は、方式ａ３と方式ｂ３に分けることができる。
【０１１６】
前記方式ａ３は、
【数６７】
0006899450.tif 000069
【０１１７】
前記方式ｂ３は、
【数６８】
0006899450.tif 000070
具体的に、方式ａ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数６９】
0006899450.tif 000071
具体的に、方式ａ３について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数７０】
0006899450.tif 000072
方式ｂ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数７１】
0006899450.tif 000073
【０１１８】
第四実現形態
前記第３決定サブモジュールは第４定義ユニットと第４決定ユニットを含む。前記第４定義ユニットは、r = Ｃ ｍｏｄ Ｍを定義するのに用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第４決定ユニットが前記Ｍ個ＣＢＧにおけるＣＢＧkに含まれたＣＢの個数 Nkを決定する方式は、方式ａ４と方式ｂ４に分けることができる。
【０１１９】
前記方式ａ４は、
【数７２】
0006899450.tif 000074
【０１２０】
前記方式ｂ４は、
【数７３】
0006899450.tif 000075
具体的に、方式ａ４について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数７４】
0006899450.tif 000076
具体的に、方式ａ４について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数７５】
0006899450.tif 000077
方式ｂ４について、Ｍ=４と仮定し、１つのＴＢはＣＢ分割定義に従ってにＣ=１８個ＴＢ、r=１８ ｍｏｄ ４=２分割され、上記の計算方式に従って、４個ＣＧＢにおけるＣＢＧkに含まれたＣＢの個数 Nkは、
【数７６】
0006899450.tif 000078
【０１２１】
ここで、各ＣＢＧ中に含まれたＣＢの個数は１つのＴＢのＴＢＳ（Ｔｒａｎｓｐｏｒｔ Ｂｌｏｃｋ Ｓｉｚｅ、伝送ブロックサイズ）の変化によって変化する。
【０１２２】
前記データ伝送モジュール３３０は、前記Ｍ個のＣＢＧに従ってデータ伝送を行うために用い、具体的には、前記データ伝送モジュール３３０は前記Ｍ個のＣＢＧに基づいてＡＣＫ/ＮＡＣＫフィードバック及び/又は再送を行うことを含む。
【０１２３】
例えば、上りにてデータ伝送する際、端末のデータ伝送モジュール３３０は１つのＴＢを送信し、基地局は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を端末に送信し、同様のＣＢグループ化方式に基づいて各フィードバック情報に対応するＣＢＧを決定した後、対応するフィードバック情報であるＮＡＣＫのＣＢＧ中の情報を再送する。
【０１２４】
又は、下りにてデータ伝送する際、基地局は１つのＴＢを送信し、端末は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を基地局に送信し、基地局はフィードバック情報を受信した後、同様のＣＢグループ化方式に基づいて各フィードバック情報に対応するＣＢＧを決定した後、対応するフィードバック情報であるＮＡＣＫのＣＢＧ中の情報を再送する。
【０１２５】
図４に示すように、本発明の実施例４は基地局４を提供し、該基地局は前述の実施例に説明された基地局側が実行する方法フローを実現することができる。前記基地局４は、
１つのＴＢをＭ個のＣＢＧに分ける必要のあることを決定するために用いる決定モジュール４１０、と、予め設定されたグループ分け方式に従って前記１つのＴＢに対してコードブロック分割して得られた１つ又は複数のＣＢをグループ分けし、それにより前記ＴＢを前記Ｍ個のＣＢＧに分けるために用いるグループ化モジュール４２０と、前記Ｍ個のＣＢＧに基づいてデータ伝送を行うために用いるデータ伝送モジュール４３０とを含む。前記Ｍは正の整数である。
【０１２６】
前記決定モジュール４１０は、事前に定義されたルールに従って１つのＴＢをＭ個のＣＢＧに分ける必要のあることを決定するために用いる第１決定サブモジュールと、又は設定情報に従って１つのＴＢをＭ個のＣＢＧに分ける必要のあることを決定するために用いる第２決定サブモジュールとを含むことができる。又は第２決定サブモジュールは、事前に定義された複数のＭ値から１つのＴＢが分けられる必要のあるＣＢＧ個数として１つを選択し、且つ設定情報により前記Ｍ値を端末に通知し、それにより、端末は前記設定情報に基づいて端末側のＴＢをグループ化ができるために用いる。
【０１２７】
前記基地局はさらに送信モジュールを含む。前記送信モジュールは、上位層シグナリングを介して前記設定情報を送信するために用いる。又は下り制御チャンネルを介して前記設定情報を送信するために用いる。
【０１２８】
前記送信モジュールは、さらに端末専用の設定情報により前記Ｍ値を前記端末に通知するために用いる。又は複数端末が共有する設定情報により前記Ｍ値を前記端末に通知する。異なるＴＢＳ（Ｔｒａｎｓｐｏｒｔ Ｂｌｏｃｋ Ｓｉｚｅ、伝送ブロックサイズ）のＴＢに対応するＭサイズは同一であってもよいし、異なっていてもよい。前記基地局は前記１つのＴＢにＡＣＫ/ＮＡＣＫフィードバックする時のコードブック（ｃｏｄｅｂｏｏｋ）サイズもＭビットであることを決定できる。
【０１２９】
前記グループ化モジュール４２０は、予め設定されたグループ分け方式に従って前記Ｍ個ＣＢＧにおける各ＣＢＧ内のＣＢの個数を決定するために用いる第３決定サブモジュールと、決定された前記Ｍ個のＣＢＧにおける各ＣＢＧ内のＣＢの個数に従って、前記ＴＢを前記Ｍ個のＣＢＧに分けるために用いるグループ化サブモジュールを含む。つまり、前記Ｍ個ＣＢＧにおける各ＣＢＧは一組のＣＢを含む。前記第３決定サブモジュールは、予め設定されたグループ分け方式に従って前記Ｍ個ＣＢＧにおける各ＣＢＧ内のＣＢの個数を決定することは、以下４つの方式で実現することができる（但し、この４つの方式に限定されるものではない）。
【０１３０】
第一実現形態
前記第３決定サブモジュールは第１定義ユニットと第１決定ユニットとを含む。前記第１定義ユニットは、r = Ｃ ｍｏｄ Ｍを定義するために用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第１決定ユニットが前記Ｍ個ＣＢＧにおけるＣＢＧkに含まれたＣＢの個数 Nkを決定する方式は、方式ａ１と方式ｂ１に分けることができる。
【０１３１】
前記方式ａ１は、
【数７７】
0006899450.tif 000079
【０１３２】
前記方式ｂ１は、
【数７８】
0006899450.tif 000080
具体的に、方式ａ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数７９】
0006899450.tif 000081
具体的に、方式ａ１について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数８０】
0006899450.tif 000082
方式ｂ１について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数８１】
0006899450.tif 000083
【０１３３】
第二実現形態
前記第３決定サブモジュールは第２定義ユニットと第２決定ユニットを含む。前記第２定義ユニットは、r = Ｃ ｍｏｄ Ｍを定義するために用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第２決定ユニットが前記Ｍ個ＣＢＧにおけるＣＢＧkに含まれたＣＢの個数 Nkを決定する方式は、方式ａ２と方式ｂ２に分けることができる。
【０１３４】
前記方式ａ２は、
【数８２】
0006899450.tif 000084
【０１３５】
前記方式ｂ２は、
【数８３】
0006899450.tif 000085
具体的に、方式ａ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数８４】
0006899450.tif 000086
具体的に、方式ａ２について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数８５】
0006899450.tif 000087
方式ｂ２について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数８６】
0006899450.tif 000088
【０１３６】
第三実現形態
前記第３決定サブモジュールは第３定義ユニットと第３決定ユニットを含む。前記第３定義ユニットは、r = Ｃ ｍｏｄ Ｍを定義するために用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第３決定ユニットが前記Ｍ個ＣＢＧにおけるＣＢＧkに含まれたＣＢの個数 Nkを決定する方式は、方式ａ３と方式ｂ３に分けることができる。
【０１３７】
前記方式ａ３は、
【数８７】
0006899450.tif 000089
【０１３８】
前記方式ｂ３は、
【数８８】
0006899450.tif 000090
具体的に、方式ａ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数８９】
0006899450.tif 000091
具体的に、方式ａ３について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数９０】
0006899450.tif 000092
方式ｂ３について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数９１】
0006899450.tif 000093
【０１３９】
第四実現形態
前記第３決定サブモジュールは第４定義ユニットと第４決定ユニットを含む。前記第４定義ユニットは、r = Ｃ ｍｏｄ Ｍを定義するために用いる。前記Ｃは１つのＴＢがコードブロック分割された後に得られたＣＢの個数であり、前記rは前記Ｃ割る前記Ｍの余りである。前記ＣＢＧkの添字kのマーク方式の異なる（例えばkは０からＭ-１までにマークし、又はkは１からＭにまでマークし、もちろん、kは他の方式でマークしてもよく、ここで説明を省略する）に従って、前記第４決定ユニットが前記Ｍ個ＣＢＧにおけるＣＢＧkに含まれたＣＢの個数 Nkを決定する方式は、方式ａ４と方式ｂ４に分けることができる。
【０１４０】
前記方式ａ４は、
【数９２】
0006899450.tif 000094
【０１４１】
前記方式ｂ４は、
【数９３】
0006899450.tif 000095
具体的に、方式ａ４について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数９４】
0006899450.tif 000096
具体的に、方式ａ４について、Ｍ=４と仮定し、１つのＴＢはＣＢ分割定義に従ってＣ=１９個ＴＢ、r=１９ ｍｏｄ ４=３に分割され、上記の計算方式に従って、４個ＣＧＢにおけるＣＢＧkに含まれたＣＢの個数 Nkは、
【数９５】
0006899450.tif 000097
方式ｂ４について、Ｍ=４と仮定し、１つのＴＢはＣＢ分割定義に従ってＣ=１８個ＴＢ、r=１８ ｍｏｄ ４=２に分割され、上記の計算方式に従って、４個ＣＧＢにおけるＣＢＧkに含まれたＣＢの個数 Nkは、
【数９６】
0006899450.tif 000098
【０１４２】
ここで、各ＣＢＧ中に含まれたＣＢの個数は１つのＴＢのＴＢＳ（Ｔｒａｎｓｐｏｒｔ Ｂｌｏｃｋ Ｓｉｚｅ、伝送ブロックサイズ）の変化によって変化する。
【０１４３】
データ伝送モジュール４３０は、前記Ｍ個のＣＢＧに従ってデータ伝送を行うために用い、具体的には、前記データ伝送モジュール４３０は前記Ｍ個のＣＢＧに基づいてＡＣＫ/ＮＡＣＫフィードバック及び/又は再送を行う。        
【０１４４】
例えば、上りにてデータ伝送する際、端末は１つのＴＢを送信し、基地局は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を端末に送信し、端末はフィードバック情報を受信した後、同様のＣＢグループ化方式に基づいて各フィードバック情報に対応するＣＢＧを決定した後、対応するフィードバック情報であるＮＡＣＫのＣＢＧ中の情報を再送する。
【０１４５】
又は、下りにてデータ伝送する際、基地局中のデータ伝送モジュール４３０は１つのＴＢを送信し、端末は１つのＴＢを受信し、且つ該１つのＴＢの、予め設定されたグループ分け方式に基づいてグループ化して得られたＭ個のＣＢＧの各ＣＢＧに従ってＡビットＡＣＫ/ＮＡＣＫフィードバック情報を生成し、Ａは１又は１以上の所定値であり、且つフィードバック情報を基地局に送信し、基地局はフィードバック情報を受信した後、同様のＣＢグループ化方式に基づいて各フィードバック情報に対応するＣＢＧを決定した後、対応するフィードバック情報であるＮＡＣＫのＣＢＧ中の情報を再送する。
【０１４６】
本発明の実施例５はメモリに格納されたコンピュータプログラムを実行するときに、本発明の実施例１又は実施例２に記載のデータ伝送方法のステップを実施するように構成されたプロセッサを含むコンピュータ装置を提供する。時にを実現するために用いる。
【０１４７】
図５に示すように、該装置は上記実施例における端末側の機能を実現することができる。該装置は、送受信機５１０、及び該送受信機に接続された少なくとも一つのプロセッサ５００を含むことができる。ここで、プロセッサ５００は、メモリ５２０にあるプログラムを読み取り、以下の処理を実行するために用いる。１つのＴＢをＭ個のＣＢＧに分ける必要のあることを決定する。予め設定されたグループ分け方式に従って前記１つのＴＢに対してコードブロック分割して得られた１つ又は複数コードブロックＣＢをグループ化し、それにより前記１つのＴＢを前記Ｍ個のＣＢＧに分ける。前記Ｍ個のＣＢＧに従ってデータ伝送を行う。前記Ｍは正の整数である
【０１４８】
ここで、図５において、バスアーキテクチャは、プロセッサ５００に代表される１つ又は複数プロセッサと、メモリ５２０に代表されるメモリの各種回路が一緒にリンクされた、任意の数のリンクされたバスとブリッジを含むことができる。バスアーキテクチャはまた、周辺装置、レギュレータ、電力管理回路等の他の回路を一緒にリンクすることも可能である。これらは本分野で周知されたことなので、ここではさらに説明しない。バスインタフェース５３０は、インタフェースを提供する。送受信機５１０は、複数のコンポーネントであってもよく、つまり、トランスミッターと送受信機を含み、伝送媒体上において様々な他の装置と通信するためのユニットを提供する。プロセッサ５００は、バスアーキテクチャ及び通常の処理を管理するとともに、タイミング、周辺インタフェース、電圧調整、電源管理及びその他の制御機能を含む様々な機能を提供することができる。メモリ５２０は、プロセッサ５００が動作を実行する際に使用されるデータを記憶することができる。    
【０１４９】
好ましくは、プロセッサ５００はＣPU、ＡＳIＣ、FPGＡ又はＣPLDであってもよい。
【０１５０】
本発明の実施例において、プロセッサ５００はメモリ５２０にあるプログラムを読み取り、図１に示された実施例における方法を実行する。具体的には  図１に示された実施例における関連説明を参考にして、ここではさらに説明しない。    
【０１５１】
図６に示すように、該装置は前述実施例における基地局側の機能を実現することができる。該装置は、送受信機６１０、及び該送受信機に接続された少なくとも１つのプロセッサ６００を含むことができる。ここで、
プロセッサ６００はメモリ６２０にあるプログラムを読み取り、以下のプロセスを実行するために用いる。１つのＴＢをＭ個のＣＢＧに分ける必要のあることを決定する。予め設定されたグループ分け方式に従って前記１つのＴＢに対してコードブロック分割して得られた１つ又は複数コードブロックＣＢをグループ化し、それにより前記１つのＴＢを前記Ｍ個のＣＢＧに分ける。前記Ｍ個のＣＢＧに従ってデータ伝送を行う。前記Ｍは正の整数である。
【０１５２】
ここで、図６において、バスアーキテクチャは、プロセッサ６００に代表される１つ又は複数プロセッサと、メモリ６２０に代表されるメモリの各種回路が一緒にリンクされた、任意の数のリンクされたバスとブリッジを含むことができる。バスアーキテクチャはまた、周辺装置、レギュレータ、電力管理回路等の他の回路を一緒にリンクすることも可能である。これらは本分野で周知されたことなので、ここではさらに説明しない。バスインタフェース６３０は、インタフェースを提供する。送受信機６１０は、複数のコンポーネントであってもよく、つまり、トランスミッターと送受信機を含み、伝送媒体上において様々な他の装置と通信するためのユニットを提供する。プロセッサ６００は、バスアーキテクチャ及び通常の処理を管理するとともに、タイミング、周辺インタフェース、電圧調整、電源管理及びその他の制御機能を含む様々な機能を提供することができる。メモリ６２０は、プロセッサ６００が動作を実行する際に使用されるデータを記憶することができる。    
【０１５３】
好ましくは、プロセッサ６００はＣＰＵ、ＡＳIＣ、ＦＰＧＡ又はＣＰＬＤであってもよい。
【０１５４】
本発明の実施例において、プロセッサ６００はメモリ６２０にあるプログラムを読み取り、図２に示された実施例における方法を実行する。具体的には図２に示された実施例における関連説明を参考にして、ここではさらに説明しない。
【０１５５】
本発明の実施例６は、プロセッサによって実行されると、本発明の実施例１又は実施例２に記載のデータ伝送方法のステップを実施するためのコンピュータプログラムを記憶するコンピュータ可読記憶媒体る。
【０１５６】
上記本発明の実施例における技術的解決手段は、少なくとも以下の技術的効果又は利点を有する。本発明の実施例におけるデータ伝送方法、端末及び基地局は、ＣＢをＣＢＧに分け、ＣＢＧに基づく再送及びＡＣＫ/ＮＡＣＫフィードバックをサポートし、従来技術に存在する上記技術的問題を解決し、ＬＴＥシステムにおいてデータ伝送を行う時に、不要な再送や冗長を減少し、伝送効率を向上させるという技術的効果を達成した。
【０１５７】
本発明の好ましい実施例を説明したが、本分野の技術者が基本的な創造性概念を一旦分かれば、これらの実施例を別途に変更と修正することは容易に想到するので、添付する特許請求の範囲は好ましい実施例及び本発明の範囲に包括されるすべての変更と修正を含む。
【０１５８】
本分野の技術者は本発明の思想範疇を逸脱しない範囲内で、各種の修正と変形に想到し得ることは明らかであり、これらの修正と変形は本発明の特許請求の範囲内または同一視できる範囲内の技術であれば、当然に本発明の技術的範囲に属するものと了解される 。
【符号の説明】
【０１５９】
３  端末
４  基地局
３１０  決定モジュール
３２０  グループ化モジュール
３３０  データ伝送モジュール
４１０  決定モジュール
４２０  グループ化モジュール
４３０  データ伝送モジュール
５００  プロセッサ
５１０  送受信機
５２０  メモリ
５３０  バスインタフェース
６００  プロセッサ
６１０  送受信機
６２０  メモリ
６３０  バスインタフェース
【図１】
0006899450.tif 000131
【図２】
0006899450.tif 000132
【図３】
0006899450.tif 000133
【図４】
0006899450.tif 000134
【図５】
0006899450.tif 000135
【図６】
0006899450.tif 000136